(57)【特許請求の範囲】
【請求項１】
中心部にセンタリングのための第一の孔が形成された記録ディスクと、
前記記録ディスクを収納するカートリッジと、
前記記録ディスクに一体に設けられ、中心部に前記第一の孔よりも小径で当該記録ディスクをセンタリングするための第二の孔が形成されたハブと、
前記記録ディスクに一体に設けられた前記ハブと当該記録ディスクの間に形成された空間内で、当該記録ディスクの厚さ方向に移動可能に設けられたディスク状の磁性板と
を備えることを特徴とするカートリッジ型記録媒体。
【請求項２】
センタリング部材を備えた第一のドライブ装置およびセンタリング部材を備えた第二のドライブ装置で記録および／または再生が可能なカートリッジ型記録媒体であって、
前記第一のドライブ装置における前記センタリング部材を中心部に当接させ、当該第一のドライブ装置にセンタリングするための第一の孔が形成された記録ディスクと、
前記記録ディスクを収納し、開閉可能なシャッタを有するカートリッジと、
前記記録ディスクの径方向に移動可能な状態で前記カートリッジに保持され、前記第一の孔よりも小径で且つ前記第二のドライブ装置の前記センタリング部材を挿入可能に構成されると共に、当該第二のドライブ装置にセンタリングするための第二の孔が中心部に形成されたハブと、
前記ハブに内蔵されたディスク状の磁性板と
を備えることを特徴とするカートリッジ型記録媒体。
【発明の詳細な説明】
【０００１】
【発明の属する技術分野】
本発明は、記録ディスクをカートリッジに内蔵したカートリッジ型記録媒体、およびこのカートリッジ型記録媒体に対して記録および／または再生を行うドライブ装置等に関する。
【０００２】
【従来の技術】
ディジタルコンテンツの普及に伴い、このディジタルコンテンツの格納媒体として、近年、ＣＤ(Compact Disc)、ＤＶＤ(Digital Versatile Disc)等のディスク状の記録媒体が広く普及している。このような記録媒体を記録および／または再生装置等のドライブ装置に装着するに際しては、記録媒体の中心部に形成された直径１５ｍｍ程度の中心孔に、ドライブ装置側に形成された凸形状の取付部を嵌め合わせ、これによってドライブ装置に対する記録媒体のセンタリング(位置決め)が行われる。
【０００３】
ところで、従来の記録媒体は、比較的剛性が小さく、しかも熱膨張率が大きいプラスチック性の基板が用いられており、これに比較的大きな直径１５ｍｍの孔が形成されている。このため、ドライブ装置の取付部に対し、単純な嵌め合いを用いていたのでは、充分な位置決めを行うことは困難であった。単純な嵌め合いで位置決めを行うには、特に記録媒体の中心孔側に、高い寸法精度、ドライブ装置の取付部との接触による変形や温度変化による変形を防ぐための剛性等が必要となるためである。
【０００４】
このため従来の記録媒体は、図１２に示すように、ドライブ装置１０側の取付部１１に、その外径が先端部に行くにしたがい徐々に小さくなるテーパ形状を有したセンタリング部材１２を備えることが一般的に行われている。このような取付部１１を有したドライブ装置１０に、記録媒体２０を装着する場合、センタリング部材１２がテーパ状であるので、記録媒体２０のディスク基板２１に形成された中心孔２２の径の誤差等が吸収され、位置決め精度が高められるとともに、取付部１１への記録媒体２０の取り付けを容易に行うことができる。
しかしながら、このような方式では、中心孔２２のエッジ部２２ａにバリが存在したり、ゴミの付着等があった場合に、ドライブ装置１０の取付部１１に対する正確な位置決めを行うことは困難であった。
【０００５】
ところで近年、これらの記録媒体における記録密度の高まりには著しいものがあり、これに伴ないデータが記録されるトラックのピッチ(以下、これをトラックピッチと称する)も狭くなる傾向にある。このようにトラックピッチが狭くなると、ドライブ装置のピックアップで確実にデータの記録／再生を行うため、記録媒体のドライブ装置に対する位置決めに従来よりも高い精度が要求される。
例えば、ＣＤと同一サイズで、記録容量が２０ＧＢを超える次世代の光記録媒体であるＨＤ−ＤＶＤ等は、トラックピッチが約０．３μｍとなり、これによって記録媒体のドライブ装置に対する偏心位置決め精度は、１５μｍ以下にすることが要求される。
【０００６】
【発明が解決しようとする課題】
このような要求に対し、図１２に示したような方式では、上記したような理由から、ドライブ装置１０に対して記録媒体２０を要求される精度で位置決めするのは不可能であると言わざるを得ないのが実状である。
【０００７】
このため、図１３に示すように、ＩＳＯ(International Organization for Standardization)規定の光磁気ディスク等の記録媒体３０では、ディスク基板３１に形成された中心孔３２に対し、より小径の孔３３を有したセンターハブ３４をディスク基板３１に一体に取り付ける構造を採用している。この構造では、この小径の孔３３とドライブ装置４０の取付部４１に設けたセンタリング軸４２とを嵌め合わせ、これによって記録媒体３０のドライブ装置４０に対する位置決めを行う。
このような構成では、センターハブ３４に、ディスク基板３１よりも高剛性で、熱膨張率が小さい材料を採用し、さらに中心孔３２よりも小径の孔３３を形成することにより、孔３３自体の寸法精度、寸法安定性を中心孔３２よりも高めることができ、これによって記録媒体３０のドライブ装置４０に対する高い位置決め精度を確保することが可能となる。
このように、単に高い位置決め精度を確保するという観点からすれば、今後、市場に展開される記録媒体に、図１３に示したような小径の孔３３が形成されたセンターハブ３４を用いる方式を採用するのが望ましい。
【０００８】
しかしながら、現在では、ＣＤやＤＶＤ等の記録媒体が既にユーザに広く普及している。既存のＣＤやＤＶＤは、図１２に示したように、ディスク基板２１に形成された直径１５ｍｍの中心孔２２で位置決めを行う構成(以下、これを旧方式と適宜称する)を採用している。
これに対し、今後展開される記録媒体に、図１３に示したように、センターハブ３４に形成された小径の孔３３で位置決めを行う構成(以下、これを新方式と適宜称する)を採用するのであれば、新旧方式間での互換性が無くなり、ユーザ側では、旧方式の記録媒体２０のための旧方式のドライブ装置１０と、新方式の記録媒体３０のための新方式のドライブ装置４０を用意しなければならず、これではユーザにとっての利便性が高いとは言えない。
本発明は、以上のような点を考慮してなされたもので、高い互換性を有し、ユーザの利便性を高めることのできる技術を提供することを課題とする。
【０００９】
【課題を解決するための手段】
かかる目的のもと、本発明のドライブ装置は、記録ディスクを保持するディスク保持部に、所定の外径を有する第一センタリング部材と、第一センタリング部材よりも小さな外径を有する第二センタリング部材と、第一センタリング部材に対する第二センタリング部材の、記録ディスクに向けての突出寸法を変化させる突出寸法変化機構と、を備えることを特徴とする。ここで、突出寸法変化機構としては、第二センタリング部材を第一センタリング部材に対して前進させることによって突出寸法を変化させることもできるが、第一センタリング部材を第二センタリング部材に対して後退可能とし、さらに第一センタリング部材を元の位置に復帰させる弾性部材を備える構成とするのが好ましい。
【００１０】
本発明のカートリッジ型記録媒体は、中心部にセンタリングのための第一の孔が形成された記録ディスクと、記録ディスクを収納するカートリッジと、記録ディスクに一体に設けられ、中心部に第一の孔よりも小径で記録ディスクをセンタリングするための第二の孔が形成されたハブと、を備えることを特徴とする。
これにより、記録ディスクは、第一の孔と第二の孔のいずれを用いてもセンタリングすることが可能となる。
【００１１】
より詳しくは、このようなカートリッジ型記録媒体を、上記したようなディスク装置に対応させる場合、ディスク装置のディスク保持部では、第二センタリング部材を第二の孔(センタリング孔)に嵌め合わせることによって記録ディスクをセンタリングする。
また、このようなカートリッジ型記録媒体を、例えば図１２に示したような従来からのドライブ装置に対応させる場合、ドライブ装置のセンタリング部材を第一の孔に嵌め合わせて記録ディスクをセンタリングするのである。
【００１２】
上記したようなカートリッジ型記録媒体のうち、カートリッジを除いた、記録ディスクとハブのみからディスク状記録媒体を構成することもできる。
すなわち、本発明のディスク状記録媒体は、中心部に第一の孔が形成された記録ディスクと、記録ディスクの一方の面に固定され、第一の孔よりも小径の第二の孔を有したハブと、を備えた構成とするのである。ここで、ハブは、記録ディスクに対し、記録ディスクをドライブ装置に固定するために第一の孔または第二の孔に挿入される固定部材に対向する側の面と反対側の面に位置するのが好ましい。
また、このような記録ディスクおよびハブは、開閉可能なシャッタを有した箱状のカートリッジ内に収納可能であり、カートリッジ内に収納することにより、上記カートリッジ型記録媒体と同様の構成が実現できる。
【００１３】
本発明は、中心部に孔が形成された記録ディスクと、記録ディスクを収納し、開閉可能なシャッタを有するカートリッジと、記録ディスクの径方向に移動可能な状態でカートリッジに保持され、中心部に孔よりも小径の孔が形成されたハブと、を備えることを特徴とするカートリッジ型記録媒体として捉えることもできる。中心部に孔が形成された記録ディスク、つまり従来からのＣＤやＤＶＤ等の記録ディスクをカートリッジに収納すれば、このようなカートリッジ型記録媒体を構成することができる。
ただし、あくまでも、カートリッジは、記録ディスクの孔よりも小径の孔が形成されたハブを記録ディスクの径方向に移動可能な状態で保持するのが重要である。
このようなカートリッジ型記録媒体の場合、記録ディスクのセンタリングは、従来と同様に記録ディスクの孔を用いて行う。上記したドライブ装置のように、第一センタリング部材とこれよりも小径の第二センタリング部材を有している場合も、記録ディスクをセンタリングするためには第一センタリング部材が記録ディスクの孔に挿入される。このとき、ハブの小径の孔には、第二センタリング部材が挿入されるが、ハブは径方向に移動可能であるので、記録ディスクのセンタリングに影響は及ぼさない。
【００１４】
本発明を、ＣＤやＤＶＤ等の記録ディスクを収納するカートリッジ単体として捉えれば、このカートリッジは、箱状のカートリッジ本体と、記録ディスクの中心孔よりも小径の孔を有したハブと、カートリッジ本体に設けられて、ハブを孔の径方向に移動可能な状態で保持するハブ保持部とを備えることを特徴とする。
この場合、ハブ保持部は、ハブを、カートリッジに収納される記録ディスクの面に略直交する方向に移動可能な状態で保持することもできる。
【００１５】
上記したような、所定径を有した中心孔と、記録ディスクに対して移動可能に備えられたハブを有する記録ディスクを、上記したようなドライブ装置に対応させるときには、ドライブ装置のディスク保持部では、第一センタリング部材を中心孔に嵌め合わせることによって記録ディスクをセンタリングする。
【００１６】
さて、本発明は、中心孔が形成された記録ディスクと中心孔よりも小径の孔が形成されたハブとをカートリッジに内蔵したカートリッジ型記録媒体に対して記録／再生を行うドライブ装置として捉えることもできる。このドライブ装置は、記録ディスクの中心孔に嵌め合うことによって記録ディスクをセンタリングするセンタリング部材と、記録ディスクの一面側が当接するテーブル面を有したテーブル部材と、を備えることを特徴とする。つまり、ハブに小径の孔が形成されていながら、これを用いてセンタリングするのではなく、記録ディスクの中心孔を用いてセンタリングするのである。
【００１７】
また、本発明のドライブ方法は、中心孔を有した記録ディスクおよび記録ディスクと“一体”で中心孔よりも小径の孔を有したハブとをカートリッジ内に収納した第一の記録媒体と、中心孔を有した記録ディスクおよび記録ディスクとは“別体”で中心孔よりも小径の孔を有したハブとをカートリッジ内に収納した第二の記録媒体のドライブ方法であって、大小２つのセンタリング部材を有するドライブ装置で第一の記録媒体をドライブするときには、小径の孔に小さい方のセンタリング部材を嵌め合わせて記録ディスクを位置決めし、大小２つのセンタリング部材を有するドライブ装置で第二の記録媒体をドライブするときには、中心孔に大きい方のセンタリング部材を嵌め合わせて記録ディスクを位置決めし、１つのみのセンタリング部材を有するドライブ装置で第一または第二の記録媒体をドライブするときには、中心孔に１つのみのセンタリング部材を嵌め合わせて記録ディスクを位置決めすることを特徴とする。
言い換えれば、第一の記録媒体は、大小２つのセンタリング部材を有するドライブ装置の場合、ハブでセンタリングし、１つのみのセンタリング部材を有するドライブ装置の場合に記録ディスクでセンタリングする。また、第二の記録媒体は、大小２つのセンタリング部材を有するドライブ装置、１つのみのセンタリング部材を有するドライブ装置のどちらに対しても、記録ディスクでセンタリングする。
このようにして、第一の記録媒体、第二の記録媒体、大小２つのセンタリング部材を有したドライブ装置、１つのみのセンタリング部材を有したドライブ装置間で、いわゆるコンパチブル化を図ることができるのである。
【００１８】
一方、本発明は、センタリング部材を備えた第一のドライブ装置およびセンタリング部材を備えた第二のドライブ装置で記録および/または再生が可能なカートリッジ型記録媒体であって、第一のドライブ装置におけるセンタリング部材を中心部に当接させ、この第一のドライブ装置にセンタリングするための第一の孔が形成された記録ディスクと、この記録ディスクを収納し、開閉可能なシャッタを有するカートリッジと、記録ディスクの径方向に移動可能な状態でカートリッジに保持され、第一の孔よりも小径で且つ第二のドライブ装置のセンタリング部材を挿入可能に構成されると共に、この第二のドライブ装置にセンタリングするための第二の孔が中心部に形成されたハブとを備えることを特徴としている。
【００１９】
また、本発明が適用されるディスク状記録媒体は、記録ディスクと共に、この記録ディスクに同心状に一体的に設けられ、第一の孔よりも小径で且つ第二のドライブ装置のセンタリング部材を挿入可能に構成されると共に、この第二のドライブ装置にセンタリングするための第二の孔が中心部に形成されたハブを備える。
【００２０】
更に他の観点から把えると、本発明は、センタリング用の孔を有した第一の記録ディスクおよびセンタリング用の孔を有した第二の記録ディスクに対して記録および/または再生を可能とするドライブ装置であって、この第一の記録ディスクおよび第二の記録ディスクを保持するディスク保持部に、所定の外径を有し、この第一の記録ディスクをセンタリングするための第一センタリング部材と、この第一センタリング部材よりも小さな外径を有し、第二の記録ディスクをセンタリングするための第二センタリング部材と、この第一センタリング部材に対する第二センタリング部材の、記録ディスクに向けての突出寸法を変化させる突出寸法変化機構と、を備える。
【００２１】
また、本発明は、第一の記録ディスクと第二の記録ディスクとに対し、第一のセンタリング部材と第一のセンタリング部材よりも小さい第二のセンタリング部材とを備えたドライブ装置を用いてドライブするドライブ方法であって、この第一の記録ディスクをドライブするときには、第一のセンタリング部材を用いて位置決めを行い、第二の記録ディスクをドライブするときには、第二のセンタリング部材を用いて位置決めを行うことを特徴としている。
【００２２】
【発明の実施の形態】
以下、添付図面に示す実施の形態に基づいてこの発明を詳細に説明する。
ここで、以下の説明において、小径の孔を用いて位置決めを行う記録媒体を新方式の記録媒体、ディスク基板に形成された中心孔を用いて位置決めを行う記録媒体を旧方式対応の記録媒体と称することとする。
ここではまず、新方式、旧方式対応の記録媒体の構成について説明する。
図１は、本実施の形態における新方式の記録媒体(カートリッジ型記録媒体、第一の記録媒体)１００の構成を示すものである。
この図１に示すように、新方式の記録媒体１００は、記録ディスク１１０にセンターハブ(ハブ)１２０が一体に設けられ、これがカートリッジ１３０内に収納された構成となっている。
【００２３】
記録ディスク１１０は、プラスチック系材料からなるディスク基板１１１の中心部に直径１５ｍｍ程度の中心孔(第一の孔)１１２が形成され、その一面側に、データが記録される記録層１１３および保護層(図示無し)等が設けられた構成となっている。
センターハブ１２０は、略円形で、記録ディスク１１０の他面側、つまり記録層１１３とは反対側に一体に設けられ、その中心部に直径２〜６ｍｍ程度のセンター孔(第二の孔)１２１を有した構成となっている。また、センターハブ１２０は、センター孔１２１が形成された円板部１２０ａに対し、その外周側から記録ディスク１１０側に所定寸法延びる周壁部１２０ｂが形成された構成となっており、これによってセンターハブ１２０の円板部１２０ａおよび周壁部１２０ｂと、ディスク基板１１１の他面側との間に所定の隙間を有した空間Ａが形成されている。そして、この空間Ａの中には、円板状の磁性板１２２が、記録ディスク１１０の厚さ方向に移動可能な状態で収められている。つまり、この磁性板１２２は、記録ディスク１１０およびセンターハブ１２０に対し、遊嵌構造を有しているのである。また磁性板１２２には、記録ディスク１１０の中心孔１１２よりも小径で、かつセンターハブ１２０のセンター孔１２１よりも大径の貫通孔１２３が形成されている。
【００２４】
このようなセンターハブ１２０を一体に備えた記録ディスク１１０を内蔵するカートリッジ１３０は、薄型箱状で、その一面側に設けられたシャッタ１３１が、開閉する構造となっている。このシャッタ１３１は、断面視略Ｌ字状で、その基端部がカートリッジ１３０の一側面に設けられたスライド部材１３２に一体に設けられており、図１の紙面に直交する方向にスライド可能な構成となっている。
また、このシャッタ１３１の先端部側は、カートリッジ１３０に一体に取り付けられた押さえ部材１３３により、その浮き上がりが防止される構成となっている。
【００２５】
このカートリッジ１３０の内周面には、段部１３４が形成されており、この段部１３４によって、記録ディスク１１０の外周部のみがカートリッジ１３０の内周面に接触し、その内周側の記録層１１３に対して記録／再生を行う範囲がカートリッジ１３０に接触しないようになっている。
このようなカートリッジ１３０に、記録ディスク１１０はその記録層１１３側の面をシャッタ１３１に対向させた状態で収められている。つまり、シャッタ１３１を開けたときに、記録ディスク１１０の記録層１１３側の面が露出するのである。
【００２６】
図２に示す旧方式対応の記録媒体(カートリッジ型記録媒体、第二の記録媒体)２００は、記録ディスク２１０をカートリッジ(カートリッジ本体)２２０に内蔵し、後に詳述する新方式のドライブ装置にも対応可能な構成としたものである。
この図２に示すように、旧方式対応(以下、単に旧方式と称する)の記録媒体２００は、図１２に示したようなＣＤやＤＶＤ等のディスク状の記録媒体２０と同様の、ディスク基板２１１の一面側に記録層２１３を有し、その中心部に直径１５ｍｍの中心孔 (孔)２１２が形成された記録ディスク２１０を、カートリッジ２２０に内蔵している。
【００２７】
このような記録ディスク２１０を収納するカートリッジ２２０は、図１に示したカートリッジ１３０と同様、その一面側に、スライド部材２２２のスライドによって開閉するシャッタ２２１を有している。このシャッタ２２１も、押さえ部材２２３によって先端部の浮き上がりを防止する構成となっている。
このカートリッジ２２０の内周面には、段部２２４が形成されており、この段部２２４によって記録ディスク２１０の外周部のみがカートリッジ２２０の内周面に接触し、その内周側の記録層２１３に対して記録／再生を行う範囲がカートリッジ２２０に接触しないようになっている。
【００２８】
このカートリッジ２２０は、記録ディスク２１０を収納する空間に臨む内周面の一面側に、センターハブ(ハブ)２３０を備えている。
センターハブ２３０は、外形略円形で、その中心部に直径２〜６ｍｍ程度のセンター孔(小径の孔)２３１が形成されている。このセンターハブ２３０は、その外形寸法が記録ディスク２１０に対向する側の面から反対側の面に行くにしたがい、徐々に大きくなるテーパ部２３０ａを有している。また、このセンターハブ２３０は、円板状の磁性板２３２を内蔵している。また、センターハブ２３０には、記録ディスク２１０に形成された中心孔２１２と略同径を有した逃げ凹部２３３が形成されている。
【００２９】
一方、このセンターハブ２３０を保持するため、カートリッジ２２０側には、一方の内周面からシャッタ２２１が形成されている側に向けて所定寸法立ち上がる周壁部２２６ａと、その周壁部２２６ａから内側に向かって延出する支持部２２６ｂとからなるハブ保持部２２６が形成されており、この支持部２２６ｂの内径は、センターハブ２３０のテーパ部２３０ａの最大径部よりも小さく、かつ最小径部よりも大きく設定されている。
これによりセンターハブ２３０は、テーパ部２３０ａを支持部２２６ｂに支持させた状態で、周壁部２２６ａの立ち上がり方向、つまり記録ディスク２１０の厚さ方向に、周壁部２２６ａの高さの範囲内で自在に動くことができるようになっている。また、このセンターハブ２３０は、最小径部が支持部２２６ｂの内径よりも大きいため、ハブ保持部２２６に対し、径方向に移動可能となっている。つまり、このセンターハブ２３０も遊嵌構造を有しているのである。
【００３０】
次に、新方式、旧方式のドライブ装置側の構成について説明する。なお、以下の説明において、新方式、旧方式のドライブ装置を問わず、ディスク保持部とピックアップ以外の構成についてはその説明を省略する。
図１および図３を参照しつつ新方式のドライブ装置３００について説明する。
図１に示したように、新方式のドライブ装置３００は、大小２つのセンタリング部材を有するドライブ装置であり、ディスク保持部３１０とその近傍に設けられた記録／再生用のピックアップ３２０とを備えて構成されている。
図３に示すように、ディスク保持部３１０は、記録媒体に当接するテーブル面３１１ａを有したスピンドルテーブル３１１、旧方式の記録ディスク２１０(図２参照)を固定するための第一センタリング部材(固定部材)３１２、新方式の記録ディスク１１０を固定するための第二センタリング部材(固定部材)３１３、第一センタリング部材３１２をスピンドルテーブル３１１から突出する方向に押圧するコイルスプリング等の弾性部材(突出寸法変化機構)３１４、弾性部材３１４の押圧による第一センタリング部材３１２の移動範囲を規制するストッパ３１５、磁石３１６およびヨーク３１７、を有している。
【００３１】
スピンドルテーブル３１１は、第二センタリング部材３１３が貫通する貫通孔３１１ｂを有した底板部３１１ｃと、底板部３１１ｃの外周側から立ち上がる周壁部３１１ｄと、周壁部３１１ｄからその外周側に延出し、テーブル面３１１ａが形成されたテーブル部３１１ｅとから形成されている。これによってスピンドルテーブル３１１には、第一センタリング部材３１２、弾性部材３１４、磁石３１６、ヨーク３１７等を収納する凹部３１１ｆが形成された構成となっている。
【００３２】
第一センタリング部材３１２は、外形が円形で、その外周面３１２ａが、先端に行くにしたがい外径が徐々に小さくなるテーパ形状とされている。この第一センタリング部材３１２の基端側には、その外周側に張り出す張り出し部３１２ｂが形成されている。またこの第一センタリング部材３１２には、ヨーク３１７を収めるだけの貫通孔３１２ｃが形成されている。
弾性部材３１４は、第一センタリング部材３１２の基端部と、スピンドルテーブル３１１の底板部３１１ｃとの間に圧縮状態で装着されている。これにより、第一センタリング部材３１２を、スピンドルテーブル３１１から突出する方向に押圧する構成となっている。
また、スピンドルテーブル３１１のテーブル部３１１ｅには、テーブル面３１１ａに対して一段低く形成された段部３１１ｇが形成されており、この段部３１１ｇにはリング状のストッパ３１５が固定されている。このストッパ３１５は、第一センタリング部材３１２の外周側に張り出した張り出し部３１２ｂに干渉することにより、第一センタリング部材３１２の移動を規制する。
【００３３】
磁石３１６は、スピンドルテーブル３１１の底板部３１１ｃに一体に固定され、弾性部材３１４の内側に位置している。
ヨーク３１７は、この磁石３１６と一体に設けられ、前記した第一センタリング部材３１２の貫通孔３１２ｃの内側に位置している。
ここで、ヨーク３１７およびスピンドルテーブル３１１は金属系材料等、磁石３１６の磁場内で磁化される材料で形成されている。
【００３４】
第二センタリング部材３１３は、例えば、記録ディスク１１０、２１０を回転駆動させるスピンドルモータ(図示無し)のモータ軸と一体に形成されるのが好ましい。この第二センタリング部材３１３は、所定の外径を有した略円柱状のシャフトで、スピンドルテーブル３１１の貫通孔３１１ｂ、磁石３１６およびヨーク３１７に形成された貫通孔３１６ａ、３１７ａを貫通し、その先端部３１３ａがヨーク３１７および第一センタリング部材３１２の先端部よりも突出した構成となっている。この第二センタリング部材３１３は、その先端部３１３ａが、先端に行くにしたがい外径が小径となるテーパ形状とされている。
【００３５】
このようなディスク保持部３１０では、第一センタリング部材３１２を図３中の矢印方向に押すと、弾性部材３１４が圧縮変形し、これによって、第一センタリング部材３１２が、第二センタリング部材３１３に対して相対的に後退する。これによって第二センタリング部材３１３の第一センタリング部材３１２に対する突出寸法が変化する構成となっている。また、第一センタリング部材３１２の押圧を解除すれば、弾性部材３１４の付勢力によって、第一センタリング部材３１２は、張り出し部３１２ｂがストッパ３１５に当たるまで前進し、これによって元の位置に復帰する。
【００３６】
図１および図４、図５は、新方式の記録媒体１００に、上記で説明した新方式のドライブ装置３００を組み合わせる場合の構成を示すものである。
図１に示したように、新方式のドライブ装置３００のディスク保持部３１０を新方式の記録媒体１００に対向させた状態から、図４に示すように、新方式の記録媒体１００のカートリッジ１３０のシャッタ１３１を開き、記録ディスク１１０に対し、ディスク保持部３１０およびピックアップ３２０を前進させる。
すると、図４および図５に示すように、スピンドルテーブル３１１のテーブル面３１１ａが記録ディスク１１０の記録層１１３側に当接し、その状態で第二センタリング部材３１３の先端部３１３ａが、記録ディスク１１０と一体に設けられたセンターハブ１２０のセンター孔１２１に挿入され、これによって記録ディスク１１０がディスク保持部３１０、すなわち新方式のドライブ装置３００に対して位置決めされる。つまり、新方式の記録媒体１００は、新方式のドライブ装置３００に対する記録ディスク１１０のセンタリングを、センターハブ１２０によって行っている。
【００３７】
このとき、磁性板１２２は、ディスク保持部３１０の磁石３１６に磁化されたヨーク３１７およびスピンドルテーブル３１１に吸着され、センターハブ１２０の空間Ａ内で記録ディスク１１０側に移動し、記録ディスク１１０をスピンドルテーブル３１１に押し付け、これを挟持する。
また、第一センタリング部材３１２は、記録ディスク１１０に形成された中心孔１１２の内方に挿入されるものの、磁性板１２２に当たって後退し、第二センタリング部材３１３を相対的に突出させる機能を果たす。また、中心孔１１２の内方に挿入された状態で、第一センタリング部材３１２は後退しており、しかもその外周面３１２ａはテーパ状であるため、中心孔１１２と干渉しない。
新方式のドライブ装置３００では、新方式の記録媒体１００の記録ディスク１１０を、このようにして位置決めした状態でスピンドルモータ(図示無し)によってドライブし、ピックアップ３２０による記録層１１３に対する記録／再生を行う。
【００３８】
図２および図６、図７は、旧方式の記録媒体２００に対し、新方式のドライブ装置３００を対応させた場合の例を示すものである。
図２に示したように、新方式のドライブ装置３００のディスク保持部３１０を旧方式の記録媒体２００に対向させた状態から、図６に示すように、旧方式の記録媒体２００のカートリッジ２２０のシャッタ２２１を開き、新方式のドライブ装置３００のディスク保持部３１０およびピックアップ３２０を前進させる。
すると、図６および図７に示すように、スピンドルテーブル３１１のテーブル面３１１ａが記録ディスク２１０の記録層２１３側に当接した時点で、第一センタリング部材３１２の外周面３１２ａと記録ディスク２１０に形成された中心孔２１２とが嵌め合い、これにより旧方式の記録媒体２００が新方式のドライブ装置３００に対して位置決めされる。つまり、旧方式の記録媒体２００は、新方式のドライブ装置３００に対するセンタリングを記録ディスク２１０によって行っている。
【００３９】
この状態で、記録ディスク２１０は、ディスク保持部３１０に押されてカートリッジ２２０内でその厚さ方向に移動し、ハブ保持部２２６に保持されたセンターハブ２３０に当接する。そして、ディスク保持部３１０の第二センタリング部材３１３は、その先端部３１３ａがセンターハブ２３０のセンター孔２３１に挿入されるものの、このセンターハブ２３０は記録ディスク２１０と一体化されておらず、しかもその径方向に移動可能であるので、記録ディスク２１０の位置決めに影響は及ぼさない。
また、このセンターハブ２３０には磁性板２３２が内蔵されており、この磁性板２３２がディスク保持部３１０の磁石３１６に磁化されたヨーク３１７およびスピンドルテーブル３１１に吸着されることにより、センターハブ２３０は記録ディスク２１０をスピンドルテーブル３１１に押し付け、これを挟持する。
さらに、ディスク保持部３１０の第一センタリング部材３１２は、その先端部がセンターハブ２３０に形成された逃げ凹部２３３内に収まり、センターハブ２３０との干渉を回避することによって、第一センタリング部材３１２がセンターハブ２３０によって不用意に押し下げられるのを防止できるようになっている。
新方式のドライブ装置３００では、このように、旧方式の記録媒体２００の記録ディスク２１０を中心孔２１２で位置決めした状態で、スピンドルモータによってドライブし、ピックアップ３２０による記録層２１３に対する記録／再生を行う。
【００４０】
次に、旧方式のドライブ装置を、新方式の記録媒体１００と、旧方式の記録媒体２００に対応させる場合について示す。
図８に示す旧方式のドライブ装置４００は、図１２に示したドライブ装置１０と同じ構成である。この旧方式のドライブ装置４００は、１つのみのセンタリング部材４１２を有するものであり、ディスク保持部４１０と図示しないピックアップを有している。
ディスク保持部４１０は、図３に示したスピンドルテーブル３１１と同様にテーブル面４１１ａを有したスピンドルテーブル４１１、第一センタリング部材３１２と同様にテーパ状の外周面４１２ａを有したセンタリング部材(固定部材)４１２、コイルスプリング等の弾性部材４１４、センタリング部材４１２の移動を規制するストッパ４１５、磁石４１６、ヨーク４１７を有し、さらに、記録媒体を回転駆動するスピンドルモータのモータ軸４１３が、スピンドルテーブル４１１および磁石４１６、ヨーク４１７に貫通した構成となっている。
【００４１】
旧方式のドライブ装置４００のディスク保持部４１０と、図３に示した新方式のドライブ装置３００のディスク保持部３１０との相違点は、新方式のドライブ装置３００では、第二センタリング部材３１３が第一センタリング部材３１２よりも上方に突出し、しかも、第一センタリング部材３１２のスライドによって第二センタリング部材３１３が相対的に突出する構成となっているのに対し、図８に示した旧方式のドライブ装置４００では、スピンドルモータのモータ軸４１３がスピンドルテーブル４１１、磁石４１６、ヨーク４１７に貫通している(必ずしも貫通していなくても良い)ものの、スピンドルモータのモータ軸４１３が、記録ディスク１１０、２１０のセンタリング機能を有さないことから、その先端部４１３ａがセンタリング部材４１２よりも突出していない(突出させる必要がない)ことにある。
【００４２】
図９は、新方式の記録媒体１００に上記した旧方式のドライブ装置４００を組み合わせた場合の例を示すものである。この図９に示すように、新方式の記録媒体１００のシャッタ１３１(図１参照)を開けた状態で、旧方式のドライブ装置４００のディスク保持部４１０を前進させ、スピンドルテーブル４１１のテーブル面４１１ａを記録ディスク１１０の記録層１１３側に当接させる。この状態で、センタリング部材４１２のテーパ状の外周面４１２ａが記録ディスク１１０に形成された中心孔１１２に嵌め合うことによって、記憶ディスク１１０が旧方式のドライブ装置４００に対して位置決めされる。つまり、新方式の記録媒体１００は、旧方式のドライブ装置４００に対するセンタリングを、記録ディスク１１０によって行っている。
【００４３】
ただし、この場合、新方式の記録媒体１００では、磁性板１２２がセンターハブ１２０に対して遊嵌構造を有しているため、磁石４１６に磁化されたヨーク４１７およびスピンドルテーブル４１１に吸着された磁性板１２２がセンタリング部材４１２を押し下げると、センタリング部材４１２の外周面４１２ａと記録ディスク１１０の中心孔１１２の内周面との間に隙間が生じ、記録ディスク１１０の位置決めを行うことができなくなってしまうこともある。このため、図９に示したように、記録ディスク１１０と磁性板１２２との間にスペーサ５００を介在させ、これによって磁性板１２２の移動を規制し、センタリング部材４１２が不必要に押し下げられないようにするのが好ましい。
【００４４】
図１０に示すものは、旧方式の記録媒体２００に旧方式のドライブ装置４００を組み合わせた場合の例を示すものである。
旧方式の記録媒体２００のシャッタ２２１(図２参照)を開けた状態で、旧方式のドライブ装置４００のディスク保持部４１０を前進させ、スピンドルテーブル４１１のテーブル面４１１ａを記録ディスク２１０の記録層２１３側に当接させる。すると、その状態で、センタリング部材４１２のテーパ状の外周部４１２ａが記録ディスク２１０に形成された中心孔２１２に嵌め合い、これによって旧方式の記録媒体２００が旧方式のドライブ装置４００に対して位置決めされる。つまり、旧方式の記録媒体２００は、旧方式のドライブ装置４００に対するセンタリングを、記録ディスク２１０によって行っている。
【００４５】
このとき、カートリッジ２２０側に備えられているセンターハブ２３０は、磁性板２３２がディスク保持部４１０の磁石４１６に磁化されたヨーク４１７およびスピンドルテーブル４１１に吸着されることによって、記録ディスク２１０をディスク保持部４１０のテーブル面４１１ａに押し付け、これを挟持する。このとき、センターハブ２３０には逃げ凹部２３３が形成されているため、センタリング部材４１２との干渉を回避し、これを不用意に押し下げるのを防止することができる。
【００４６】
上述したように、新方式の記録媒体１００は、記録ディスク１１０に形成された中心孔１１２と、センターハブ１２０に形成されたセンター孔１２１とを有しており、中心孔１１２に嵌め合うテーパ状のセンタリング部材４１２を有した旧方式のドライブ装置４００と、センター孔１２１にこれに対応した第二センタリング部材３１３を挿入して位置決めを図る新方式のドライブ装置３００と、の双方に対応したものとなる。そして、新方式のドライブ装置３００に装着されたときには、センターハブ１２０に形成された小径のセンター孔１２１で位置決めすることにより、より高精度な位置決めを確実に行うことが可能となる。
【００４７】
また、旧方式の記録媒体２００は、記録ディスク２１０を、センターハブ２３０を有したカートリッジ２２０に内蔵しており、第二センタリング部材３１３が突出している新方式のドライブ装置３００に対しては、記録ディスク２１０に一体化されていないセンターハブ２３０のセンター孔２３１に第二センタリング部材３１３を嵌め合わせるものの、実際の位置決めは記録ディスク２１０の中心孔２１２に第一センタリング部材３１２を嵌め合わせることによって行う。これによって、記録ディスク２１０が例えばＣＤ等の従来からの記録媒体である場合にも、これをカートリッジ２２０に内蔵すれば、新方式のドライブ装置３００に対応させることが可能となる。
また、このようなカートリッジ２２０に内蔵された旧方式の記録媒体２００では、従来と同様にして、スピンドルモータのモータ軸４１３が突出していない旧方式のドライブ装置４００のディスク保持部４１０に対し、センタリング部材４１２を記録ディスク２１０の中心孔２１２に嵌め合わせることによって位置決めすることができる。このとき、カートリッジ２２０側に設けられたセンターハブ２３０は、センタリングには干渉せず、何ら影響を与えない構成となっている。このようにして、旧方式の記録媒体２００は、新方式のドライブ装置３００と旧方式のドライブ装置４００の双方に対応したものとなっている。
【００４８】
一方、新方式のドライブ装置３００から見れば、新方式の記録媒体１００に対しては、小径の第二センタリング部材３１３を用いてセンターハブ１２０に形成されたセンター孔１２１への嵌め合いによって位置決めを行い、旧方式の記録媒体２００に対しては、大径の第一センタリング部材３１２を記録ディスク２１０の中心孔２１２に嵌め合わせることによって位置決めを行うことができる。つまり、新方式のドライブ装置３００は、新方式の記録媒体１００と旧方式の記録媒体２００の双方に対応することができるのである。
【００４９】
また、旧方式のドライブ装置４００は、センターハブ１２０が一体に設けられた新方式の記録媒体１００であっても、記録ディスク１１０に形成された中心孔１１２にセンタリング部材４１２を嵌め合せることによってこれの位置決めを図ることができる。また、センターハブ２３０を備えたカートリッジ２２０に内蔵された旧方式の記録媒体２００に対しても、同様に、記録ディスク２１０に形成された中心孔２１２にセンタリング部材４１２を嵌め合させることにより、位置決めを行うことができる。つまり、旧方式のドライブ装置４００は、新方式の記録媒体１００と旧方式の記録媒体２００の双方に対応することができる。
【００５０】
このように、新方式の記録媒体１００、旧方式の記録媒体２００、新方式のドライブ装置３００、旧方式のドライブ装置４００は、計４通りの組み合わせで使用することが可能であり、いわゆるコンパチブル化した、高い互換性を有した構成を実現することができる。これにより、ユーザは、新方式のドライブ装置３００、旧方式のドライブ装置４００のいずれを有している場合であっても、新方式の記録媒体１００や旧方式の記録媒体２００を何ら支障無く記録／再生を行うことが可能となる。このように、高い互換性を有したシステム構成を提供することにより、ユーザは高い利便性を享受することが可能となるのである。
【００５１】
なお、上記実施の形態において、図１に示した新方式の記録媒体１００において、センターハブ１２０内で磁性板１２２が遊嵌構造を有する構成としたが、必ずしも遊嵌構造を備える必要は無い。
図１１に示すように、スピンドルテーブル３１１のテーブル面３１１ａが記録ディスク１１０に当接し、第一センタリング部材３１２が押し下げられた状態で、第二センタリング部材３１３がセンターハブ１２０’のセンター孔１２１に確実に挿入され、記録ディスク１１０を位置決めすることができるよう、各部の寸法を設定すれば、磁性板１２２’をセンターハブ１２０’に一体化した構成とすることも可能である。
【００５２】
また、上記実施の形態では、カートリッジ１３０、２２０に、シャッタ１３１、２２１を片面のみに設ける構成としたが、これを両面に設ける構成とした場合にも本発明は有効である。すなわち、カートリッジ１３０、２２０の両面側で開閉するシャッタを設け、片面に記録層１１３、２１３を有する記録ディスク１１０、２１０に代えて、両面に記録層を有する記録ディスクを内蔵するのである。これ以外にも、本発明の主旨を逸脱しない限り、新方式の記録媒体１００、旧方式の記録媒体２００、新方式のドライブ装置３００、旧方式のドライブ装置４００の各部の構成を適宜変更することが可能である。
【００５３】
【発明の効果】
以上説明したように、本発明によれば、高い互換性を有し、ユーザの利便性を高めることが可能となる。
【図面の簡単な説明】
【図１】  本実施の形態における新方式の記録媒体と新方式のドライブ装置の組み合わせにおいて、記録媒体をドライブ装置に装着する前の状態を示す断面図である。
【図２】  旧方式の記録媒体と新方式のドライブ装置の組み合わせにおいて、記録媒体をドライブ装置に装着する前の状態を示す断面図である。
【図３】  新方式のドライブ装置におけるディスク保持部の構成を示す断面図である。
【図４】  新方式の記録媒体を新方式のドライブ装置に装着した状態を示す断面図である。
【図５】  図４の要部拡大図である。
【図６】  旧方式の記録媒体を新方式のドライブ装置に装着した状態を示す断面図である。
【図７】  図６の要部拡大図である。
【図８】  旧方式のドライブ装置におけるディスク保持部の構成を示す断面図である。
【図９】  新方式の記録媒体を旧方式のドライブ装置に装着した状態を示す断面図である。
【図１０】  旧方式の記録媒体を旧方式のドライブ装置に装着した状態を示す断面図である。
【図１１】  本実施の形態の変形例を示す図であって、新方式の記録媒体を新方式のドライブ装置に装着した状態を示す断面図である。
【図１２】  従来の記録媒体をドライブ装置に装着した状態を示す断面図である。
【図１３】  ＩＳＯ規格における記録媒体をドライブ装置にセンタリングする構造を示す断面図である。
【符号の説明】
１００…新方式の記録媒体(カートリッジ型記録媒体、第一の記録媒体)、１１０…記録ディスク、１１１…ディスク基板、１１２…中心孔(第一の孔)、１２０…センターハブ(ハブ)、１２１…センター孔(第二の孔)、１２２…磁性板、１３０…カートリッジ、１３１…シャッタ、２００…旧方式の記録媒体(カートリッジ型記録媒体、第二の記録媒体)、２１０…記録ディスク、２１１…ディスク基板、２１２…中心孔(孔)、２２０…カートリッジ(カートリッジ本体)、２２１…シャッタ、２２６…ハブ保持部、２３０…センターハブ(ハブ)、２３１…センター孔(小径の孔)、２３２…磁性板、３００…新方式のドライブ装置(大小２つのセンタリング部材を有するドライブ装置)、３１０…ディスク保持部、３１１…スピンドルテーブル、３１２…第一センタリング部材(固定部材)、３１３…第二センタリング部材(固定部材)、３１４…弾性部材(突出寸法変化機構)、３１６…磁石、３２０…ピックアップ、４００…旧方式のドライブ装置(１つのみのセンタリング部材を有するドライブ装置)、４１０…ディスク保持部、４１１…スピンドルテーブル、４１２…センタリング部材(固定部材)、４１３…モータ軸、Ａ…空間
【図１】
0004355145.tif 000002
【図２】
0004355145.tif 000003
【図３】
0004355145.tif 000004
【図４】
0004355145.tif 000005
【図５】
0004355145.tif 000006
【図６】
0004355145.tif 000007
【図７】
0004355145.tif 000008
【図８】
0004355145.tif 000009
【図９】
0004355145.tif 000010
【図１０】
0004355145.tif 000011
【図１１】
0004355145.tif 000012
【図１２】
0004355145.tif 000013
【図１３】
0004355145.tif 000014